(57)【要約】      （修正有）【課題】災害発生時など緊急時に、ユーザーがログイン操作など煩わしい操作なしに、ＭＦＰ内の防災ＢＯＸへアクセスし、ユーザーに対する警報に利用できる情報処理装置を提供する。【解決手段】情報処理装置は、防災無線機より警報通知を受け、警報通知から警報レベルを検知する。検知した警報レベルに基づいて、情報処理装置の防災情報格納領域へのアクセスのセキュリティレベルを変更する。【選択図】図２
2018125593.tif 000002
【特許請求の範囲】
【請求項１】
防災情報を受信する受信端末に接続された情報処理装置であって、
アクセスを制限するための所定のセキュリティレベルが設定された情報記憶部と、
前記受信端末からの情報を受ける通信手段と、
前記受信端末から受けた防災情報を保持するための保持部と、
前記受信した情報から災害のレベルを判定する判定手段と、
前記判定手段の判定に基づいて、前記情報記憶部に設定されたセキュリティレベルを変更する手段と、
を有することを特徴とする情報処理装置。
【発明の詳細な説明】
【技術分野】
【０００１】
本発明は、防災無線受信器を接続し、該複合機を介し防災情報を共有する情報処理装置に関する。
【背景技術】
【０００２】
防災無線受信機を複合機（ＭＦＰ）に接続して、災害発生に伴う機器制御やユーザーに対する警報に利用することが検討されている。一般的には、テレビ、ラジオ、スマートフォン等から災害発生の情報が得られる。しかし、これらから得られる情報は広域情報であり、一方、防災無線から得られる情報は受信機の場所に根差した地域情報である。
【０００３】
災害発生時の防災無線の利用は、その情報を基に円滑な対応、行動を行う上で必要である。また、防災無線から得られる情報は、確実に伝わることが必要である。防災無線は、防災情報をスピーカにより音声にてユーザーに伝えると伴に、データとして情報が得られる。提供された各種情報や、ユーザーの災害発生時行動指針等は、いつでもだれでも引き出せるところに置かれることが必要である。
【０００４】
ＭＦＰと連携するにあたり、逐次送られてくる情報を自動格納する専用の防災ＢＯＸは必須の構成である。このような背景の中で、引用文献１（特開２０１４−７６４９）のように、防災情報の緊急レベルの判定結果から、セキュリティが解除された通信モードに切り替え、誰でも携帯端末を介して防災情報を受けることができる技術が開示されている。
【先行技術文献】
【特許文献】
【０００５】
【特許文献１】特開２０１４−７６４９号公報
【発明の概要】
【発明が解決しようとする課題】
【０００６】
会社および公共機関に設置されたＭＦＰは、課金、メンテナンスおよびセキュリティの観点から、利用者の認証を必要とするシステムを採用している。使用時には、ユーザーによるログイン等の操作が必要になる。
【０００７】
防災情報が格納される防災ＢＯＸへのアクセスも、規定のユーザーインターフェースに従う限り、ユーザーによるログイン操作が必要になる。災害発生時など緊急時では、ユーザーはログイン操作など煩わしい操作なしに、防災ＢＯＸへのアクセスが必須である。
【課題を解決するための手段】
【０００８】
上記課題を解決するために、本発明にかかる情報処理装置は、防災情報を受信する受信端末に接続された情報処理装置であって、アクセスを制限するための所定のセキュリティレベルが設定された情報記憶部と、前記受信端末からの情報を受ける通信手段と、記受信端末から受けた防災情報を保持するための保持部と、前記受信した情報から災害のレベルを判定する判定手段と、前記判定手段の判定に基づいて、前記情報記憶部に設定されたセキュリティレベルを変更する手段と、を有することを特徴とする。
【発明の効果】
【０００９】
本発明によれば、災害発生時など緊急時では、ユーザーはログイン操作など煩わしい操作なしに、ＭＦＰ内の防災ＢＯＸへのアクセスができる。
【図面の簡単な説明】
【００１０】
【図１】防災無線受信機を備えたＭＦＰ全体概略図
【図２】フローチャート
【図３】防災情報説明図
【図４】操作部説明図
【発明を実施するための形態】
【００１１】
［実施例］
以下、本発明を実施するための最良の形態について図面を用いて説明する。具体的には、災害発生時など緊急時では、ユーザーはログイン操作など煩わしい操作なしに、防災情報が格納された領域へのアクセスを可能にする手段である。
【００１２】
本実施例で示す装置の具体的な例としては、デジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）などが挙げられる。
【００１３】
図１を用いて、本発明の実施例にかかるＭＦＰのブロック構成を説明する。図１において、ＭＦＰは、メインユニット１０３を中心に、スキャナー１０１、プリンタ１０２、操作部１１１、防災無線受信機１２８、ＩＤカードリーダ１２５を含んでいる。スキャナー１０１は、本発明の読み取り手段を構成し、原稿台に載置された原稿の情報を読み取る手段を有する。
【００１４】
また、図示はしないが、スキャナー上にドキュメントフィーダーを載置でき、複数のドキュメントを読み取る際、効率よく読み込む手段を持っている。
【００１５】
プリンタ１０２は、印刷機能を有し、スキャナー１０１で読み込まれた画像、もしくは、ＩＰネットワーク網１１３より転送される画像、また、接続されるストレージデバイス（ＨＤＤ１１７）からの画像を印刷出力する手段を有す。
【００１６】
操作部１１１は、操作者が指示データ等を入力するためのキーボード、ポインティングデバイス等の領域指定手段等、操作者が指示データ等を入力するための手段及び文書情報等を表示する表示画面等を含んでおり、ユーザーインターフェースとして機能する。防災無線受信機１２８は、防災基地局から発せられる防災無線を受信する受信機である。
【００１７】
ＩＤカードリーダ１２５は、ユーザーがＭＦＰを利用する際の認証情報をＩＤカードから読み取るカードリーダである。メインユニット１０３は、主な構成部であるスキャナーインターフェース１０４、プリンタインターフェース１０５、画像処理部１０６、制御部１０７、操作制御部１０９を備えている。ストレージ手段として、ＭＦＰ内部に設置されるハードディスクＨＤＤ１１７および、ハードディスクコントローラ１１６を備えている。外部とのインターフェース部として、ネットワークインターフェース１１０を備えている。
【００１８】
また、防災無線受信機インターフェース１２２、カードリーダインターフェース部１２４を備えている。これらを制御し、接続するバス１１２を備えている。ハードディスクＨＤＤ１１７は、スキャン画像の一時保管やプリント画像の一時保管等に、また、各種データの一時保管に用いるストレージである。画像処理部１０６は、スキャナー１０１にて読み込まれた画像を各ユニットに転送するための最適な画像処理を行う。
【００１９】
例えば、ハードディスクＨＤＤ１１７へ転送したり、もしくは、ネットワークＩ／Ｆ１１３を介しスキャン画像を転送する場合など、最適な圧縮処理を行うようになっている。また、画像処理部１０６は、プリンタ１０２よりプリント出力を得るための画像処理を行う。プリント画像ソースはスキャナー１０１より読み込まれる画像、ハードディスクＨＤＤ１１７に格納されている画像等がある。また、ＩＰネットワーク網１１３およびネットワークＩ／Ｆ１１０を介して転送されるプリント画像等がある。
【００２０】
画像処理部１０６は、各々の画像ソースから、ドキュメントを最適にプリント出力できるように、伸長処理や、解像度変換などの各種画像処理を行う。バス１１２を介して接続される、画像処理部１０６、スキャナーＩ／Ｆ１０４、プリンタＩ／Ｆ１０５を制御部１０７が制御し、画像のハンドリングが行われる。操作制御部１０９は、操作部１１１をコントロールし、操作者の指示データを制御部１０７にて指示制御できる形に変換する。
【００２１】
１２１は、ＡＣ（Ａｌｔｅｒｎａｔｉｎｇ  Ｃｕｒｒｅｎｔ）電源、一般に商用電源コンセント接続され電源を供給する。１２０は、ＡＣ電源１２１から供給されるＡＣ電圧をＤＣ（Ｄｉｒｅｃｔ  Ｃｕｒｒｅｎｔ）電圧に変換し、図示はしないがユニットに接続され、電源を供給するパワーユニットである。また図示はしないが、メインパワーＳＷが含まれる。
【００２２】
ＩＰネットワーク網１１３には、ログインＩＤおよびパスワードから認証を行う認証サーバ１２６、ユーザ毎にユーザプロファイルを格納しているユーザプロファイルサーバ１２７が接続される。また、図示はしないが、ユーザー独自のドキュメント等が格納されるクラウドサーバが接続される。カードリーダインターフェース部１２４は、ユーザが携行するＩＣカードなどからＩＤカードリーダ１２５、ＩＣカードリーダインターフェース部１２４を介し、認証情報を取得する。
【００２３】
取得した認証情報から、ネットワークＩ／Ｆ１１０、ＩＰネットワーク網１１３を介し、認証サーバ１２６にて認証を行う。認証されたユーザーについて、操作部１１１が解放され、ＭＦＰが提供する機能やサービスが受けられるようになっている。例えば、ＨＤＤ１１７内の個人のストレージエリア、個人の格納ＢＯＸへのアクセスが可能になる。認証されたユーザーは、ＩＰネットワーク網１１３に接続されるユーザプロファイルサーバ１２７よりユーザプロファイル情報を取得する。
【００２４】
ユーザプロファイル情報とは、操作部１１１を個人用にカスタマイズする情報や、図示はしていないが、ＩＰネットワーク１１３に接続される、個人データが格納されるクラウドサーバーなどの接続情報である。
【００２５】
一般に、会社や公共機関において共有されるＭＦＰは、課金、メンテナンスおよびセキュリティの必要性から、登録ユーザーのみ利用可能し、このような認証システムが採用されている。防災無線受信機インターフェース部１２２は、防災無線受信機１２８から受け取る防災情報データを、バス１１２、ハードディスクコントローラ１１６を介し、ＨＤＤ１１７内の防災情報のストレージエリア、防災ＢＯＸへ格納する。
【００２６】
上述したようにセキュリティの観点から、一般には、登録ユーザーが認証を得た後、防災ＢＯＸへのアクセスが可能になっている。
【００２７】
本実施例において、緊急時では防災ＢＯＸのセキュリティレベルを下げ、誰でもアクセスでできる手段を提供する。制御部１０７は、コントローラユニット１０３の全体制御を司る。また、内部にコントロールの中核となるＣＰＵ１１４を実装し、ＣＰＵ１１４が実施する制御プログラムＲＯＭ、および一時利用メモリとするワークＲＡＭ等のメモリ１０８が実装される。
【００２８】
図２にＭＦＰが防災無線を受けた際、制御部１０７内のＣＰＵ１１４の処理のフローチャートを示す。図２において処理がスタートし、Ｓ２０１にて、ＣＰＵ１１４は防災無線の受信があったかチェックを行う。防災無線受信機１２８が防災無線を受信すると、音声での防災情報を通知するとともに、接続される防災無線受信機インターフェース部１２２およびバス１１２を介し、ＣＰＵ１１４に通知される。
【００２９】
Ｓ２０１にて、防災無線の受信が無い場合は、スタートにもどる。防災無線の受信を受けた場合は、Ｓ２０２へ進む。Ｓ２０２にて、防災無線受信機１２８から、防災無線受信機インターフェース部１２２を介して音声と共に送られてくる防災情報データを取得する。Ｓ２０３にて、取得した防災情報データをバス１１２介し、ハードディスクコントローラ１１６に制御の基にＨＤＤ１１７に順次格納する。Ｓ２０４にて、格納した防災情報データから、防災情報ＩＤおよび警報レベル情報を取得する。
【００３０】
例えば、図３に示すように、防災情報を受けた場合、その中から防災情報ＩＤおよび警報レベル情報を抽出する。防災情報ＩＤは、例えばある防災情報について、一つユニークに与えられ、以後関連する情報は、同じＩＤで送信される。警報レベル情報は、以下のように、例えば３段階で表わされる。
警報レベル：３  警報    避難命令等
警報レベル：２  注意報    注意喚起情報等
警報レベル：１  防災一般情報    警報解除  一般防災情報等
【００３１】
Ｓ２０５にて取得した警報レベルのチェックを行う。例えば、警報レベル２以上か、すなわち警報もしくは、注意報かチェックを行う。警報レベルが、警報もしくは、注意報の場合は、Ｓ２０７へ進む。警報レベルが、防災一般情報の場合は、Ｓ２０６へ進む。Ｓ２０７にて、警報レベル２以上の防災情報ＩＤとその防災レベルを、あらかじめ確保された格納領域へ格納する。例えば、メモリ１０８内でもよい。
【００３２】
Ｓ２０６にて、前記格納領域に同じ防災情報ＩＤがあるかチェックを行う。ある場合はＳ２０８へ進む、無い場合は、警報レベルが１と判断し、スタートへ戻る。Ｓ２０８にて、防災情報ＩＤが前記格納領域にある場合は、該当ＩＤの防災情報の警報レベルが１に変更、すなわち警報の解除が行われたと判断し、前記格納領域から該当ＩＤを削除し、Ｓ２０９へ進む。Ｓ２０９にて、前記格納領域に防災情報ＩＤおよび、警報レベルが格納されているかチェックを行う。
【００３３】
格納されている場合、すなわち警報レベル２以上の防災情報を受信している場合は、Ｓ２１０へ進む、格納されていない場合は、すなわち警報レベル２以上の防災情報を受信していない場合はＳ２１２へ進む。
【００３４】
Ｓ２１０にて、操作部１１１のホーム画面に、防災ＢＯＸへのパス４０１を表示する。Ｓ２１１にて、防災ＢＯＸへのセキュリティレベルを解除し、誰もがアクセスできるように設定し、スタートへ戻る。一方Ｓ２１２にて、警報レベル２以上の防災情報を受信していない場合は、操作部１１１のホーム画面に、防災ＢＯＸへのパスを消去し、Ｓ２１３にて、防災ＢＯＸへのセキュリティレベルを通常に状態へ設定し、スタートへ戻る。図４に操作部１１１に防災ＢＯＸへのパス４０１を表示した例を示す。操作部のホーム画面に、図のように防災ＢＯＸへのパス４０１を表示し、ログインせずとも誰もが防災ＢＯＸへアクセスし、情報を引き出せるようになっている。
【００３５】
以上説明したように、災害発生時など緊急時において、ユーザーは、ログイン操作など煩わしい操作なしに、防災ＢＯＸへのアクセスが可能となる。
【符号の説明】
【００３６】
１０１  スキャナユニット
１０２  プリンタユニット
１０３  コントローラユニット
１０４  スキャナＩ／Ｆ
１０５  プリンタＩ／Ｆ
１０６  画像処理部
１０７  制御部
１０８  メモリ
１２８  防災無線受信機
１２５  ＩＤカードリーダ
【図１】
2018125593.tif 000003
【図２】
2018125593.tif 000004
【図３】
2018125593.tif 000005
【図４】
2018125593.tif 000006